(57)【特許請求の範囲】
【請求項１】
内装パネルと、棚受具取付穴を縦方向に所定の間隔で穿設した棚受パネルの端部どうしを連結して貯蔵室の内側壁を形成し、先端の係入片を前記棚受具取付穴に係入させて棚受具を取り付けたとき、該棚受具の下端縁が前記棚受パネルと内装パネルの連結部に近接するようしたことを特徴とする冷却貯蔵庫。
【請求項２】
内装パネルと、棚受具取付穴を縦方向に所定の間隔で穿設した棚受パネルの端部どうしを連結して貯蔵室の内側壁を形成し、先端の係入片を前記棚受具取付穴に係入させて棚受具を取り付けたとき、該棚受具の下端縁が前記棚受パネルと内装パネルの連結部に当接するようしたことを特徴とする冷却貯蔵庫。
【請求項３】
前記棚受パネルの板厚を、前記内装パネルよりも厚くして連結したことを特徴とする請求項１又は請求項２に記載の冷却貯蔵庫。
【発明の詳細な説明】
【０００１】
【発明の属する技術分野】
本発明は、冷却貯蔵庫に関するものである。
【０００２】
【従来の技術】
実開平６−５６６８０号公報に、貯蔵室の内装パネルに穿設した棚受具取付穴に棚受具を取り付けるようにして、棚受支柱を用いないようにした冷却貯蔵庫が開示されている。また、特開平９−１４８２９号公報には、貯蔵室の内装パネルから室内側に突出させ上下方向に延在させた突部若しくは凹部に棚受具取付穴を穿設し、或いは上下方向に延在させた一対の凹部の間に棚受具取付穴を穿設して、それぞれ棚受具を取り付けて棚受支柱を用いないようにした冷却貯蔵庫が開示されている。
【０００３】
【発明が解決しようとする課題】
しかしながら、上記何れのものも内装パネルに穿設した棚受具取付穴に棚受具を係止して棚を設置するものであって、特に業務用に使用する場合には耐荷重強度が十分でなく、内装パネルに棚受具が食い込んで凹みが出来たり、棚受具が脱落したりする場合がある。
本発明は上記問題点を解決するためになされたもので、棚受支柱を用いない耐荷重強度の高い棚受構造を有する冷却貯蔵庫を提供することを目的とする。
【０００４】
【課題を解決するための手段】
上記目的を達成するために請求項１に記載された冷却貯蔵庫は、内装パネルと、棚受具取付穴を縦方向に所定の間隔で穿設した棚受パネルの端部どうしを連結して貯蔵室の内側壁を形成し、先端の係入片を前記棚受具取付穴に係入させて棚受具を取り付けたとき、該棚受具の下端縁が前記棚受パネルと内装パネルの連結部に近接するようしたことを特徴とする。
【０００５】
また、請求項２に記載された冷却貯蔵庫は、内装パネルと、棚受具取付穴を縦方向に所定の間隔で穿設した棚受パネルの端部どうしを連結して貯蔵室の内側壁を形成し、先端の係入片を前記棚受具取付穴に係入させて棚受具を取り付けたとき、該棚受具の下端縁が前記棚受パネルと内装パネルの連結部に当接するようしたことを特徴とする。
【０００６】
請求項３に記載された冷却貯蔵庫は、請求項１又は請求項２に記載の構成において、前記棚受パネルの板厚を、前記内装パネルよりも厚くして連結したことを特徴とする。
【０００７】
【発明の作用及び効果】
請求項１に記載された冷却貯蔵庫によれば、棚受具を取り付けたとき、該棚受具の下端縁が棚受パネルと内装パネルの連結部に近接する。内装パネルと、棚受具取付穴を縦方向に所定の間隔で穿設した棚受パネルの端部どうしが連結されていることにより、棚受具に荷重が加わったとき、上記連結部に近接する棚受具の下端縁が内装パネル若しくは棚受パネルに食い込んで凹みを生じさせたり、該棚受具が棚受具取付穴から脱落してしまうことがない。また、内装パネルと棚受パネルと面一に連結することにより、貯蔵室の内側壁がフラットになって、清掃作業が容易となるとともに衛生的である。
【０００８】
請求項２に記載された冷却貯蔵庫によれば、棚受具を取り付けたとき、該棚受具の下端縁が棚受パネルと内装パネルの連結部に当接する。内装パネルと、棚受具取付穴を縦方向に所定の間隔で穿設した棚受パネルの端部どうしが連結されていることにより、棚受具に荷重が加わったとき、上記連結部に当接する棚受具の下端縁が内装パネル若しくは棚受パネルに食い込んで凹みを生じさせたり、該棚受具が棚受具取付穴から脱落してしまうことがない。また、内装パネルと棚受パネルと面一に連結することにより、貯蔵室の内側壁がフラットになって、清掃作業が容易となるとともに衛生的である。
【０００９】
請求項３に記載された冷却貯蔵庫によれば、棚受パネルの板厚を内装パネルよりも厚くして連結したから、該連結部の強度が増し、棚受パネルの棚受具取付穴に先端の係入片を係入させた棚受具の下端縁が、食い込んで凹みを生じさせたり、該棚受具が棚受具取付穴から脱落してしまうことがない。
【００１０】
【発明の実施の形態】
本発明の１実施形態について添付図面を参照して説明する。図１は本実施形態に係る冷却貯蔵庫の貯蔵庫本体１の斜視図、図２は貯蔵室２の分解斜視図である。貯蔵庫本体１は、貯蔵室２と外板３との間に発泡断熱材４が充填されて壁部が構成されており、前方の開口に取り付けられる扉や底部の脚及び冷凍機等が設置された機械室等は図示が省略されている。
【００１１】
図２に示すように貯蔵室２は、天井パネル５、底面パネル６、左右の側面パネル７、７及び背面パネル８等の内装パネルと、手前側となる開口部９に配設される一対の棚受パネル１０、１０と背面パネル８の左右両側に配設される一対の棚受パネル１１、１１を順次連結することにより構成される。側面パネル７及び背面パネル８には、左右の両端面を裏側に直角に折り曲げた連結片７ａ、７ａ及び８ａ、８ａが形成されている。また、側面パネル７及び背面パネル８よりも板厚の厚い棚受パネル１０、１１には、それぞれ一端部を同じく裏側に直角に折り曲げた連結片１０ａ、１１ａが形成されている。さらに、上記棚受パネル１０及び１１には、連結片１０ａ、１１ａが形成されている端部に接近させて、縦方向に所定の間隔をおいた複数の横長の棚受具取付穴１２が、裏側への打ち出しにより穿設されている。
【００１２】
側面パネル７と棚受パネル１０の連結は、連結片７ａと１０ａを突き当てて、略Ｕ字形のファスナー１３を嵌めることにより行う。また、側面パネル７と棚受パネル１１の連結は、連結片７ａを棚受パネル１１の前面端部に突き当てて、略Ｕ字形のファスナー１３を嵌め、さらに背面パネル８と棚受パネル１１との連結は、連結片８ａと１１ａを突き当てて、同じく略Ｕ字形のファスナー１３を嵌めることにより行う。そして、棚受パネル１０及び１１の裏側には、棚受具取付穴１２から水分が侵入しないように、インシュレーション等の弾性体１４が貼り付けられている。
【００１３】
図３に示すように棚受具１５は、略水平な棚受面１６の先端中央部から細幅の突片１７を突出させ、その先端部を略直角に曲げ上げた係入片１８が形成されている。棚受面１６の後端は、鋭角に屈曲して斜め下方に延在させた支承片１９が形成されている。また、支承片１９の下端縁２０の中央部から細幅の係入脚片２１が突出形成されている。そして、棚受面１６の略中央に係合片２２が直角に切り起こされている。
【００１４】
図４に示すように上記棚受具１５は、係入片１８を棚受パネル１０若しくは１１の棚受具取付穴１２に係入し、弾性体１４を弾性変形させて係合させ、直ぐ下の棚受具取付穴１２に係入脚片２１を係入し、同じく弾性体１４を弾性変形させて係合させることにより、棚受面１６が略水平となって取り付けられる。棚受具取付穴１２は、連結片１０ａ、１１ａが形成された端部に接近させて形成されているから、支承片１９の下端縁２０が棚受パネル１０若しくは１１及びこれらと側面パネル７若しくは背面パネル８の連結部に近接若しくは当接する（図５参照）。そして、棚受片１６に載置される網棚２３には、係合片２２が係合して網棚２３の位置ズレが防止される。
【００１５】
上記により明らかなように、側面パネル７及び背面パネル８には、連結片７ａ、８ａが屈曲形成され、棚受パネル１０、１１には、連結片１０ａ、１１ａが屈曲形成され、両者を連結している連結部分は何れもフラットな状態よりも剛性が高い。さらに、棚受パネル１０、１１は、側面パネル７及び背面パネル８よりも板厚が厚いから、連結部分がより剛性が高くなっている。従って、棚受具１５の棚受面１６に載せた網棚２３に品物等の荷重が加わっても、棚受パネル１０、１１と側面パネル７及び背面パネル８の連結部に近接若しくは当接する棚受具１５の下端縁２０が、側面パネル７若しくは背面パネル８や棚受パネル１０、１１に食い込んで凹みを生じさせたり、該棚受具１５が棚受具取付穴１２から脱落してしまうことがない。
【００１６】
また、側面パネル７若しくは背面パネル８と棚受パネル１０、１１の連結は、それぞれの連結片７ａ、８ａ及び１０ａ、１１ａの先端を、さらに直角に折り曲げた重ね合わせ片７ｂ、８ｂ及び１０ｂ、１１ｂを形成し、図６に示すように連結片７ａ、８ａと１０ａ、１１ａを突き合わせるとともに、重ね合わせ片７ｂ、８ｂと１０ｂ、１１ｂを重ね合わせて、該重ね合わせ部分に略Ｕ字形のファスナー１３を嵌めることにより行うこともできる。
【００１７】
上記した各実施形態では、側面パネル７及び背面パネル８棚受パネル１０及び１１とを面一に連結することができ、貯蔵室２の内側壁がフラットになって、清掃作業がしやすくなり衛生的となる。
【００１８】
さらに、図７に示すように側面パネル７若しくは背面パネル８の端部と棚受パネル１０、１１を重ねて連結することにより該連結部を補強して、荷重時に棚受具取付穴１２に取り付けた棚受具１５の下端縁２０が食い込んで凹みを生じさせたり、該棚受具が棚受具取付穴から脱落してしまうことを防止できる。
【図面の簡単な説明】
【図１】本実施形態に係る冷却貯蔵庫の貯蔵庫本体の斜視図である。
【図２】貯蔵室の分解斜視図である。
【図３】棚受具の斜視図である。
【図４】棚受具の取付状態を示した側断面図である。
【図５】側面パネル若しくは背面パネルと棚受パネルの連結状態を示した断面図である。
【図６】同、連結状態の変形例を示した断面図である。
【図７】同、他の連結状態を示した断面図である。
【符号の説明】
１...貯蔵庫本体
２...貯蔵室
７...側面パネル
８...背面パネル
７ａ、８ａ...連結片
１０、１１...棚受パネル
１０ａ、１１ａ...連結片
１２...棚受具取付穴
１５...棚受具
１８...係入片
２０...下端縁
【図１】
0004142245.tif 000002
【図２】
0004142245.tif 000003
【図３】
0004142245.tif 000004
【図４】
0004142245.tif 000005
【図５】
0004142245.tif 000006
【図６】
0004142245.tif 000007
【図７】
0004142245.tif 000008